(57)【要約】【課題】  望遠側の色収差を良好に補正し、高性能、小型軽量、高倍率を両立したズームレンズを提供する。【解決手段】  ズームレンズは、物体側から順に、ズーミングのためには移動せず正の第１群と、ズーミングに際して移動し負の第２群と、ズーミングに際して移動する負の第３群と、ズーミングのためには移動しない正の第4群と、を有し、第１群の最も像側の正レンズは、該第１レンズ群の最も像側の正レンズの屈折率をＮｐ、ｄ線基準のアッベ数をνｐ、部分分散比をθp、焦点距離をｆｐ、第１レンズ群の最も像側の第１群の焦点距離をｆ1としたとき、  ０．６５４５ ＜θｐ＋０.００２ × νｐ ＜ ０.６６６  ４３＜νｐ＜５７  ２．２１ ＜Ｎｐ＋０．０１×νｐ＜ ２．３２  １．７２＜Ｎｐ＜１．８０  ２．１＜｜ｆp ／ ｆ1 ｜ ＜ ２．７を満たす。【選択図】  図１
2015152798.tif 000002
【特許請求の範囲】
【請求項１】
物体側から像側に順に、ズーミングのためには移動せず正の屈折力を有する第１レンズ群と、ズーミングに際して移動し負の屈折力を有する第２レンズ群と、ズーミングに際して移動し負の屈折力を有する第３レンズ群と、ズーミングのためには移動せず正の屈折力を有する第４レンズ群と、を有し、
アッベ数νおよび部分分散比θを、ｇ線における屈折率をＮｇ、Ｆ線における屈折率をＮＦ、ｄ線における屈折率をＮｄ、Ｃ線における屈折率をＮＣで、
ν＝（Ｎｄ−１）／（ＮＦ−ＮＣ）
θ＝（Ｎｇ−ＮＦ）／（ＮＦ−ＮＣ）
とし、前記第１レンズ群の最も像側の正レンズは、前記第１レンズ群の最も像側の正レンズの屈折率をＮｐ、前記第１レンズ群の最も像側の正レンズのアッベ数をνｐ、前記第１レンズ群の最も像側の正レンズの部分分散比をθpとしたとき、
０．６５４５ ＜θｐ＋０.００２ × νｐ ＜ ０.６６６
４３＜νｐ＜５７
２．２１ ＜ Ｎｐ＋０．０１×νｐ＜ ２．３２
１．７２＜Ｎｐ＜１．８０
を満たし、前記第１レンズ群の最も像側の正レンズの焦点距離をｆｐ、前記第１レンズ群の焦点距離をｆ1 としたとき、
２．１＜｜ ｆp ／ ｆ1 ｜ ＜ ２．７
であることを特徴とするズームレンズ。
【請求項２】
物体側から像側に順に、ズーミングのためには移動せず正の屈折力を有する第１レンズ群と、ズーミングに際して移動し負の屈折力を有する第２レンズ群と、ズーミングに際して移動し負の屈折力を有する第３レンズ群と、ズーミングに際して移動する第４レンズ群と、ズーミングのためには移動せず正の屈折力を有する第５レンズ群と、を有し、
アッベ数νおよび部分分散比θを、ｇ線における屈折率をＮｇ、Ｆ線における屈折率をＮＦ、ｄ線における屈折率をＮｄ、Ｃ線における屈折率をＮＣで、
ν＝（Ｎｄ−１）／（ＮＦ−ＮＣ）
θ＝（Ｎｇ−ＮＦ）／（ＮＦ−ＮＣ）
とし、前記第１レンズ群の最も像側の正レンズは、前記第１レンズ群の最も像側の正レンズの屈折率をＮｐ、前記第１レンズ群の最も像側の正レンズのアッベ数をνｐ、前記第１レンズ群の最も像側の正レンズの部分分散比をθpとしたとき、
０．６５４５ ＜θｐ＋０.００２ × νｐ ＜ ０.６６６
４３＜νｐ＜５７
２．２１ ＜ Nｐ＋０．０１×νｐ＜ ２．３２
１．７２＜Ｎｐ＜１．８０
を満たし、前記第１レンズ群の最も像側の正レンズの焦点距離をｆｐ、前記第１レンズ群の焦点距離をｆ1 としたとき、
２．１＜｜ ｆp ／ ｆ1 ｜ ＜ ２．７
であることを特徴とするズームレンズ。
【請求項３】
前記第１レンズ群の像側から２番目の正レンズは、前記第１レンズ群の像側から２番目の正レンズの屈折率をＮｐ２、前記第１レンズ群の像側から２番目の正レンズのアッベ数をνｐ２としたとき、
６１＜νｐ２＜７８
２．２３＜Ｎｐ２＋０．０１×νｐ２＜ ２．３３
１．５２＜Ｎｐ２＜１．６５
を満たし、前記第１レンズ群の像側から２番目の正レンズの焦点距離をｆｐ２としたとき、
１．７＜｜ ｆp２ ／ ｆ1 ｜ ＜ ２．０５
を満たすことを特徴とする請求項１又は２に記載のズームレンズ。
【請求項４】
前記第１レンズ群は、物体側から像側に順に、移動しない第１の部分レンズ群、焦点調整に際して移動し正の屈折力を有する第２の部分レンズ群からなり、
前記第２の部分レンズ群は２枚の正レンズ及び前記第１の部分レンズ群は３枚以上のレンズ、又は、前記第２の部分レンズ群は３枚の正レンズ及び前記第１の部分レンズ群は２枚以上のレンズ、で構成されることを特徴とする請求項１乃至３のいずれか１項に記載のズームレンズ。
【請求項５】
前記第１レンズ群を構成する正レンズのアッベ数の平均値をνp_avとしたとき、
６０＜νp_av ＜ ７５
であることを特徴とする請求項１乃至４のいずれか１項に記載のズームレンズ。
【請求項６】
前記第１レンズ群の最も物体側の正レンズの焦点距離をｆｐ３としたとき、
１．５５＜｜ ｆp３ ／ ｆ1 ｜ ＜ １．９
であることを特徴とする請求項１乃至５のいずれか１項に記載のズームレンズ。
【請求項７】
請求項１乃至６のいずれか１項に記載のズームレンズを有する撮像装置。
【発明の詳細な説明】
【技術分野】
【０００１】
本発明は、テレビカメラやビデオカメラ及び写真用カメラ、デジタルカメラに好適なズームレンズに関し、特に放送用のズームレンズに最適で、望遠端の色収差が良好で、高性能、高倍率、小型軽量なズームレンズに関するものである。
【背景技術】
【０００２】
従来から、物体側から順に変倍中固定の正の屈折力を有する第１レンズ群、変倍用の負の屈折力を有する第２レンズ群と、変倍に伴う像面の変動を補正する負の屈折力を有する第３レンズ群と、変倍中固定の正の屈折力を有する第４レンズ群からなるズームレンズが提案されている。また、物体側から順に変倍中固定の正の屈折力を有する第１レンズ群、変倍用の負の屈折力を有する第２レンズ群、負の屈折力を有する第３レンズ群と、変倍に伴う像面の変動を補正する正 または 負の屈折力を有する第４レンズ群、変倍中固定の正の屈折力を有する第５レンズ群からなるズームレンズが提案されている。
【０００３】
特許文献１、２には、ズーム比１７〜２２倍程度、広角端の画角６０°〜７８°程度の高倍率ズームレンズが提案されている。
【先行技術文献】
【特許文献】
【０００４】
【特許文献１】特開２０１１−３９４０１号公報
【特許文献２】特開２０１１−１０７６９３号公報
【発明の概要】
【発明が解決しようとする課題】
【０００５】
特許文献１、２には、数値実施例においてズーム比17〜22倍程度、広角端の画角60°〜７8°程度の高倍率ズームレンズが開示されている。しかし、特許文献１、２においては第１レンズ群の像側の正レンズについて、硝材の部分分散比が小さく、屈折力が比較的小さいため、前記正レンズの色消しが不充分であった。
【０００６】
本発明の目的は、特に放送用のズームレンズに最適で、望遠端の色収差が良好で、高性能、高倍率、小型軽量なズームレンズ及びそれを有する撮像装置を提供することである。
【課題を解決するための手段】
【０００７】
上記目的を達成するために、本発明に係るズームレンズは、物体側から像側に順に、ズーミングのためには移動せず正の屈折力を有する第１レンズ群と、ズーミングに際して移動し負の屈折力を有する第２レンズ群と、ズーミングに際して移動し負の屈折力を有する第３レンズ群と、ズーミングのためには移動せず正の屈折力を有する第４レンズ群と、を有し、前記第１レンズ群の最も像側の正レンズは、前記第１レンズ群の最も像側の正レンズの屈折率をＮｐ、前記第１レンズ群の最も像側の正レンズのアッベ数をνｐ、前記第１レンズ群の最も像側の正レンズの部分分散比をθpとしたとき
０．６５４５ ＜θｐ＋０.００２ × νｐ ＜ ０.６６６
４３ ＜ νｐ ＜ ５７
２．２１ ＜ Ｎｐ＋０．０１×νｐ ＜ ２．３２
１．７２ ＜ Ｎｐ＜１．８０
を満たし、前記第１レンズ群の最も像側の正レンズの焦点距離をｆｐ、前記第１レンズ群の焦点距離をｆ1としたとき、
２．１ ＜｜ ｆp ／ ｆ1 ｜ ＜ ２．７
であることを特徴とする。ここで、アッベ数νおよび部分分散比θは、フラウンフォーファ線のｇ線、Ｆ線、ｄ線、Ｃ線に対する屈折率をそれぞれＮｇ、ＮＦ、Ｎｄ、ＮＣとするとき、
ν ＝（Ｎｄ−１）／（ＮＦ−ＮＣ）
θ ＝（Ｎｇ−ＮＦ）／（ＮＦ−ＮＣ）
で表わされる。
【０００８】
本発明の更なる目的又はその他の特徴は、以下、添付の図面を参照して説明される好ましい実施例等によって明らかにされるであろう。
【発明の効果】
【０００９】
本発明によれば、第１レンズ群内の正レンズの硝材、焦点距離を適切に設定することで、望遠端の色収差が良好で、高性能、高倍率、小型軽量なズームレンズを達成することができる。
【図面の簡単な説明】
【００１０】
【図１】数値実施例１の（Ａ）広角端と（Ｂ）望遠端におけるレンズ断面図
【図２】数値実施例１の（Ａ）広角端、（Ｂ）望遠端の収差図
【図３】数値実施例２の（Ａ）広角端と（Ｂ）望遠端におけるレンズ断面図
【図４】数値実施例２の（Ａ）広角端、（Ｂ）望遠端の収差図
【図５】数値実施例３の（Ａ）広角端と（Ｂ）望遠端におけるレンズ断面図
【図６】数値実施例３の（Ａ）広角端、（Ｂ）望遠端の収差図
【図７】数値実施例４の（Ａ）広角端と（Ｂ）望遠端におけるレンズ断面図
【図８】数値実施例４の（Ａ）広角端、（Ｂ）望遠端の収差図
【図９】正レンズ群の２色色消しと二次スペクトル残存に関する模式図
【図１０】光学材料のアッベ数νと部分分散比θの分布の模式図
【発明を実施するための形態】
【００１１】
以下、本発明のズームレンズ及びそれを有する撮像装置の実施例について説明する。
【００１２】
本発明のズームレンズは、第1レンズ群内の最も像側の正レンズの屈折率、分散特性、部分分散比および、前記正レンズの屈折力と第1レンズ群の屈折力の比を規定する特徴を有する。これにより、望遠端における色収差の良好な補正と、レンズ全体の小型化を両立する。
【００１３】
本発明のズームレンズは、物体側から像側に順に、ズーミング（変倍）のためには移動せず正の屈折力を有する第１レンズ群と、ズーミングに際して移動する負の屈折力を有する第２レンズ群と、ズーミングに際して移動し像面変動を補正する負の屈折力を有する第３レンズ群と、ズーミングのためには移動せず正の屈折力を有する第4レンズ群で構成される。
【００１４】
または、本発明のズームレンズは、物体側から像側に順に、ズーミングのためには移動しない正の屈折力を有する第１レンズ群と、ズーミングに際し移動し、負の屈折力を有する第２レンズ群と、ズーミングに際して移動し、負の屈折力を有する第３レンズ群と、ズーミングに際し移動し、ズーミングに伴う像面変動を補正する正または負の屈折力を有する第４レンズ群と、ズーミングのためには移動せず正の屈折力を有する第５レンズ群で構成される。
【００１５】
第１レンズ群の最も像側に配置される正レンズは、前記正レンズの屈折率をＮｐ、前記正レンズのアッベ数をνｐ、前記正レンズの部分分散比をθpとするとき、下記（１）、（２）、（３）、（４）を満足する。
０．６５４５ ＜ θｐ＋０.００２ × νｐ ＜ ０.６６６ ・・・（１）
４３ ＜ νｐ ＜ ５７                                 ・・・（２）
２．２１ ＜ Nｐ＋０．０１×νｐ＜ ２．３２           ・・・（３）
１．７２ ＜ Ｎｐ ＜ １．８０                         ・・・（４）
【００１６】
また、前記正レンズの焦点距離をｆp、第１レンズ群の焦点距離をｆ1としたとき、条件式（５）を満足する。
２．１ ＜｜ｆp ／ ｆ1 ｜ ＜ ２．７                   ・・・（５）
【００１７】
なお、アッベ数νおよび部分分散比θは、ｇ線における屈折率をＮｇ、Ｆ線における屈折率をＮＦ、ｄ線における屈折率をＮｄ、Ｃ線における屈折率をＮＣとしたとき、
ν ＝（Ｎｄ−１）／（ＮＦ−ＮＣ）                    ・・・（６）
θ ＝（Ｎｇ−ＮＦ）／（ＮＦ−ＮＣ）                  ・・・（７）
である。
【００１８】
上述の基本構成を有する本発明のズームレンズについて説明する。
条件式（１）、（２）、（３）、（４）は、第１レンズ群内正レンズの光学硝子の特性を規定している。通常光学硝子は何種類もの金属酸化物を含有している。例えばSiO2、TiO2、La2O3、Al2O3、Nb2O5、ZrO2、Gd2O3等である。その中で例えばTiO2は屈折率を高め、アッベ数を小さくする効果があり、TiO2を多く含有する硝子は比較的高屈折率高分散となる。またGd2O3は屈折率を高めアッベ数を大きくする効果があり、Gd2O3を多く含有する硝子は比較的高屈折率低分散となることが知られている。元々のTiO2やGd2O3がそれぞれ高屈折高分散、高屈折率低分散であり、それらを含む硝子の特性が元々の金属酸化物の特性に近づくことになる。
【００１９】
このように光学硝子はその含有する成分の量によって特性が変わる性質があり、その成分の量を適切に設定することで所望の光学特性を持つ物が得られる。これは光学セラミックスにおいても同様で、例えば高屈折率低分散な物質を多く含む物は結果的に比較的高屈折率低分散となる。
【００２０】
高屈折率低分散な物質としては、前述のGd2O3やAl2O3、Lu3Al5O12がある。これらの物質とSiO2、TiO2、La2O3等の金属酸化物の分量を適切に設定し溶解又は焼結させることで、所望の光学特性（屈折率、アッベ数）を持つ光学硝子やセラミックス等の光学材料を得ることができる。
【００２１】
また条件式（１）は、第１レンズ群における軸上色収差の二次スペクトル残存量を減少させ、望遠端における軸上色収差の二次スペクトルを適切に補正するための条件も規定している。
図９に正レンズ群の２色色消しと二次スペクトル残存に関する模式図を示す。
【００２２】
図１０に現存する光学材料のアッベ数νと部分分散比θの分布の模式図を示す。
図１０に示すように、現存する光学材料はνに対しθが狭い範囲に分布しており、νが小さいほどθが大きい傾向を持っている。
【００２３】
所定の屈折力φであり、屈折力φ１、φ２、アッベ数ν１、ν２の２枚のレンズ１、２で構成される薄肉系の色収差補正条件は、
φ１／ν１＋φ２／ν２＝０                      ・・・（８）
であらわされる。ここで、
φ＝φ１＋φ２                                  ・・・（９）
である。（８）式を満たす場合、Ｃ線−Ｆ線の結像位置が合致する。
【００２４】
この時のφ１、φ２は以下の式で表される。
φ１＝φ・ν１／（ν１−ν２）                  ・・・（１０）
φ２＝−φ・ν２／（ν１−ν２）                ・・・（１１）
【００２５】
図９において、正レンズ群の色消しでは正レンズ１としてアッベ数ν１の大きな材料、負レンズ２としてν２の小さな材料を用いる。したがって図１０より正レンズ１はθ１が小さく、負レンズはθ２が大きくなって、Ｆ線とＣ線で色収差を補正するとｇ線の結像点が像側にずれる。このずれ量を二次スペクトル量△として定義すると、
△＝（１／φ）・（θ２―θ１）／（ν１―ν２）  ・・・（１２）
であらわされる。
【００２６】
ここで、第１、第２、第３、第４レンズ群の二次スペクトル量を△１、△２、△３、△４、第２、第３、第４レンズ群の結像倍率をβ１ｂ、β１ｃ、β２、β３、β４とすると、レンズ全系における二次スペクトル量△は以下の式で表される。
△＝  △１・β２2・β３2・β４2
＋△２・（１−β２）・β３2・β４2
＋△３・（１−β３）・β４2
＋△４・（１−β４）                      ・・・（１３）
△は、望遠側で軸上マージナル光線が高い位置を通る第１レンズ群で顕著に発生する。したがって、第１レンズ群で発生する軸上色収差二次スペクトル量△１を抑制することで望遠側の軸上色収差△を低減することが出来る。
【００２７】
条件式（１）は、前記第１レンズ群を構成する最も像側の正レンズの部分分散比とアッベ数の関係式を規定している。
条件式（１）の下限を越えると、（１２）式におけるθ１が小さくなり、△１が大きくなるため、望遠端の軸上色収差の補正が困難となる。条件式（１）の上限を越えると、低分散かつ高部分分散比のガラス硝材を製造することが困難となる。
【００２８】
条件式（２）は、前記第１レンズ群を構成する最も像側の正レンズのアッベ数の条件を規定している。
条件式（２）の下限を越えると、（１２）式におけるν１が小さくなり、△１が大きくなるため、望遠端の軸上色収差の補正が困難となる。また、前記第１レンズ群における各単レンズの屈折力が大きくなり、望遠端の諸収差、特に球面収差、コマ収差の補正が困難となってくる。条件式（２）の上限を越えると、低分散かつ高屈折率のガラス硝材を製造することが困難となる。
【００２９】
条件式（３）は、前記第１レンズ群を構成する最も像側の正レンズのアッベ数と屈折率の関係式を規定している。
条件式（３）の下限を越えると、正レンズのガラスが、高屈折率かつ低分散でなくなるため、小型化と高倍率化を達成しつつ、望遠端の諸収差を良好に補正することが困難となる。条件式（３）の上限を越えると、低分散かつ高屈折率のガラス硝材を製造することが困難となる。
【００３０】
条件式（４）は、前記第１レンズ群を構成する最も像側の正レンズの屈折率の条件を規定している。
条件式（４）の下限を越えると、正レンズの曲率が増大するため、望遠端の諸収差、特に球面収差、コマ収差の補正が困難となる。また正レンズの肉厚が増大するため、小型化を達成することが困難となる。条件式（４）の上限を越えると、低分散かつ高屈折率のガラス硝材を製造することが困難となる。
【００３１】
条件式（５）は、前記第１レンズ群を構成する最も像側の正レンズの屈折力に対する、前記第１レンズ群の屈折力の比を規定している。
条件式（５）の上限、下限を超えると、前記第１レンズ群を構成する正レンズの色収差の発生を負レンズにより適正に補正することが困難となり、望遠端の軸上色収差、倍率色収差の補正が困難となる。
【００３２】
更に好ましくは条件式（２）を次の如く設定するのが良い。
４５＜νｐ＜５５                              ・・・（２ａ）
【００３３】
さらに、本発明のズームレンズは、第１レンズ群内の像側から２番目の正レンズの屈折率、分散特性、および、前記正レンズの屈折力と第１レンズ群の屈折力の比を規定することにより、望遠端における色収差の良好な補正と、レンズ全体の小型化を両立するための条件を満足するとより好ましい。
【００３４】
前記第１レンズ群の最も像側の正レンズは、前記正レンズの屈折率をＮｐ２、前記正レンズのアッベ数をνｐ２とするとき、下記（１４）、（１５）、（１６）を満足する。
６１＜νｐ２＜７８                            ・・・（１４）
２．２３＜Ｎｐ２＋０．０１×νｐ２＜２．３３  ・・・（１５）
１．５２＜Ｎｐ２＜１．６５                    ・・・（１６）
【００３５】
前記正レンズの焦点距離をｆｐ２としたとき、条件式（１７）を満足する。
１．７＜｜ ｆp２ ／ ｆ1 ｜ ＜ ２．０５        ・・・（１７）
【００３６】
条件式（１４）は、前記第１レンズ群内の像側から２番目の正レンズのアッベ数の条件を規定している。
条件式（１４）の下限を越えると、望遠端の軸上色収差の補正が困難となる。また、前記第１レンズ群における各単レンズの屈折力が大きくなり、望遠端の諸収差、特に球面収差、コマ収差の補正が困難となってくる。条件式（１４）の上限を越えると、低分散かつ高屈折率のガラス硝材を製造することが困難となる。
【００３７】
条件式（１５）は、前記第１レンズ群内の像側から２番目の正レンズのアッベ数と屈折率の関係式を規定している。
条件式（１５）の下限を越えると、正レンズのガラスが、高屈折率かつ低分散でなくなるため、小型化と高倍率化を達成しつつ、望遠端の諸収差を良好に補正することが困難となる。条件式（１５）の上限を越えると、低分散かつ高屈折率のガラス硝材を製造することが困難となる。
【００３８】
条件式（１６）は、前記第１レンズ群内の像側から２番目の正レンズの屈折率の条件を規定している。
条件式（１６）の下限を越えると、正レンズの曲率が増大するため、望遠端の諸収差、特に球面収差、コマ収差の補正が困難となる。また正レンズの肉厚が増大するため、小型化を達成することが困難となる。条件式（１６）の上限を越えると、低分散かつ高屈折率のガラス硝材を製造することが困難となる。
【００３９】
条件式（１７）は、前記第１レンズ群内の像側から２番目の正レンズの屈折力に対する、前記第１群の屈折力の比を規定している。
条件式（１７）の上限、下限を超えると、前記第１レンズ群を構成する正レンズの色収差の発生を負レンズにより適正に補正することが困難となり、望遠端の軸上色収差、倍率色収差の補正が困難となる。
【００４０】
更に好ましくは条件式（１４）を次の如く設定するのが良い。
６２＜νｐ２＜７６                            ・・・（１４ａ）
【００４１】
さらに、本発明のズームレンズは、高倍率を達成しながら、望遠側の色収差を良好に補正するのに最適な以下に記載する第１レンズ群の構成を満足するとより好ましい。
【００４２】
第１レンズ群は物体側から像側に順に、移動しない第１の部分レンズ群１ａ、焦点調整に際して移動する正の第２の部分レンズ群１ｂからなり、前記第２の部分レンズ群は２枚の正レンズからなり、前記第１の部分レンズ群は３枚以上のレンズ、もしくは、前記第２の部分レンズ群は３枚の正レンズからなり、前記第１の部分レンズ群は２枚以上のレンズで構成される。
【００４３】
第２の部分レンズ群に含まれる正レンズが２枚未満の場合、第２の部分レンズ群内の正レンズの曲率、屈折力が増大し、望遠端の諸収差（特に球面収差、コマ収差）、物体距離の変更に伴う合焦時の諸収差の変動、を補正することが困難となってくる。第２の部分レンズ群に含まれる正レンズが４枚以上の場合、合焦時に移動するガラス群や移動機構が大型化し、レンズ全体の小型化が困難となる。
【００４４】
第２の部分レンズ群と第１の部分レンズ群の合計レンズ枚数が５枚未満の場合、望遠端の諸収差（特に球面収差、コマ収差）、広角端の諸収差、（特に像面湾曲、歪曲）を補正することが困難となってくる。
【００４５】
さらに、本発明のズームレンズは、第１レンズ群の正レンズの分散特性を規定することにより、望遠端における軸上色収差等の諸収差を良好に補正するための条件を規定している。
６０＜νp_av ＜ ７５                          ・・・（１８）
ここでνｐ_avは第１レンズ群を構成する正レンズのアッベ数の平均値である。
【００４６】
条件式（１８）は、前記第１レンズ群内の正レンズの平均アッベ数を規定している。
条件式（１８）の下限を超えると（１２）式より、前記第１レンズ群の二次スペクトルが増大してしまい、望遠端の軸上色収差を良好に補正することが困難となってくる。条件式（１８）の上限を超えると、正レンズに用いる低分散かつ高屈折率かつ高部分分散比のガラス硝材を製造することが困難となる。
【００４７】
さらに、本発明のズームレンズは、第１レンズ群内の最も物体側の正レンズの屈折力と第１レンズ群の屈折力の比を規定することにより、望遠端における色収差の良好な補正と、レンズ全体の小型化を両立するための条件を規定している。
【００４８】
第１レンズ群内の最も物体側の正レンズの焦点距離をｆｐ３としたとき、条件式（１９）を満足する。
１．５５＜｜ ｆp３ ／ ｆ1 ｜ ＜ １．９        ・・・（１９）
【００４９】
条件式（１９）は、前記第１群内の最も物体側の正レンズの屈折力に対する、前記第１群の屈折力の比を規定している。
条件式（１９）の上限、下限を超えると、本発明の前記第１レンズ群の構成、硝材を前提とすると、前記第１レンズ群を構成する正レンズの色収差の発生を負レンズにより適正に補正することが困難となり、望遠端の軸上色収差、倍率色収差の補正が困難となる。
【００５０】
上記の本発明のズームレンズを有する撮像装置を構成することにより、本発明のズームレンズの効果を奏することができる撮像装置を実現することができる。
【実施例１】
【００５１】
図１は本発明のズームレンズの数値実施例１の広角端、望遠端におけるレンズ断面図である。図２は、数値実施例１の広角端、望遠端における収差図である。
【００５２】
図１において、Ｇ１は第１レンズ群としての正の屈折力のレンズ群である。第１レンズ群Ｇ１は物体側から像側に順に、固定の第１の部分レンズ群と、第２の部分レンズ群Ｇ１ａから構成される。Ｇ１の内部のレンズ群Ｇ１ａ（第２の部分レンズ群）を焦点調整のために繰り出すことにより物体距離０．６ｍまでの合焦が可能である。Ｇ２は第２レンズ群としてのズーミング用の負の屈折力のバリエータであり、光軸上を像面側へ移動させることにより、広角端から望遠端へのズーミングを行っている。Ｇ３は第３レンズ群としてのズーミングに際して移動する負の屈折力のバリエータであり、広角端から望遠端にかけて、物体側に凸を描くような軌跡で移動する。Ｇ４は第４レンズ群としての正の屈折力のコンペンセータであり、ズーミングに伴う像面変動を補正するためにズーミングに際して光軸上を非直線的に移動している。本発明の実施例では、像面変動を補正するレンズ群を第４レンズ群としているが、第３レンズ群を像面変動補正群とすることも可能である。ＳＰは絞り、Ｇ５は第５レンズ群としての結像作用を有する正の屈折力のリレー群である。Ｇ５内の空気間隔には、焦点距離変換コンバータ等が装着されても良い。Ｐは色分解プリズムや光学フィルター等であり、同図ではガラスブロックとして示している。Ｉは撮像面である。
【００５３】
本実施例の各条件式対応値を表１に示す。本数値実施例はいずれの条件式も満足しており、良好な光学性能を達成しつつ、広角端焦点距離８．０ｍｍ、ズーム比１７．０倍の広角、高倍率でありながら小型軽量化を達成している。
【００５４】
（数値実施例１）
単位 mm
面番号      r         d        nd        vd       θgF     有効径   焦点距離
1     -169.77786   2.30000  1.720467   34.70    0.5834     76.159   -140.144
2      254.81304   3.34847  1.000000                       73.499           
3     1251.39784   2.30000  1.800999   34.97    0.5863     73.260   -101.803
4       76.97873  16.10578  1.496999   81.54    0.5374     72.014     97.320
5     -122.03946   0.40000  1.000000                       72.178           
6      124.54683   7.77610  1.433870   95.10    0.5373     70.954    227.761
7     -475.08007   6.89910  1.000000                       70.668           
8      106.86859   9.61483  1.618000   63.33    0.5441     68.157    117.060
9     -218.75768   0.15000  1.000000                       67.527           
10       57.69622   5.08451  1.000000   49.00    0.5575     58.940    161.247
11      108.95608    (可変)  1.000000                       58.195           
12       49.12369   0.90000  1.882997   40.76    0.5667     25.115    -20.089
13       12.97522   5.85046  1.000000                       19.926           
14      -57.40657   6.56125  1.808095   22.76    0.6307     19.716     18.771
15      -12.71730   0.70000  1.882997   40.76    0.5667     19.211    -11.803
16       61.20243   0.20000  1.000000                       18.854           
17       25.01570   2.75854  1.666800   33.05    0.5957     19.073     58.881
18       65.07644    (可変)  1.000000                       18.715           
19      -27.02763   0.70000  1.756998   47.82    0.5566     18.304    -20.802
20       38.60733   2.86890  1.846490   23.90    0.6217     19.913     44.533
21    -2631.66644    (可変)  1.000000                       20.521           
22     -221.88716   3.66413  1.638539   55.38    0.5485     24.974     60.984
23      -33.46289   0.15000  1.000000                       25.687           
24       81.32540   3.70426  1.516330   64.14    0.5352     26.774     77.998
25      -79.12072    (可変)  1.000000                       26.876           
26        0.00000   1.30000  1.000000                       26.381           
27       35.75300   5.92435  1.517417   52.43    0.5564     26.111     36.840
28      -38.89373   0.90000  1.834807   42.71    0.5642     25.719    -31.740
29       85.49479  32.40000  1.000000                       25.210           
30       64.91346   4.60586  1.496999   81.54    0.5374     25.735     54.185
31      -45.16238   0.29989  1.000000                       25.553           
32     -548.32958   1.40000  1.834030   37.20    0.5775     24.862    -24.910
33       21.76282   5.37767  1.487490   70.23    0.5300     24.200     54.913
34      105.35972   0.28995  1.000000                       24.580           
35       59.03984   6.49972  1.501270   56.50    0.5536     24.899     38.095
36      -27.35414   1.40000  1.834807   42.71    0.5642     25.079    -51.090
37      -77.28728   2.04080  1.000000                       25.921           
38       38.65976   5.30185  1.501270   56.50    0.5536     26.910     52.431
39      -79.35776   4.00000  1.000000                       26.681           
40        0.00000  33.00000  1.608590   46.44    0.5664     40.000           
41        0.00000  13.20000  1.516330   64.14    0.5352     40.000           
42        0.00000   0.00000  1.000000                       40.000           
各種データ
ズーム比     17.00 
広角     中間     望遠
焦点距離       8.00    33.20   136.00  
Fナンバー      1.90     1.90     2.50  
画角          34.51     9.41     2.32  
像高           5.50     5.50     5.50  
レンズ全長   269.40   269.40   269.40  
BF             7.46     7.46     7.46  
d11            0.80    32.92    47.01  
d18           49.21    10.36    12.26  
d21            6.22    11.27     1.79  
d25            5.74     7.43     0.91  
d42            7.46     7.46     7.46  
入射瞳位置    47.90   163.16   577.64  
射出瞳位置   401.39   401.39   401.39  
前側主点位置  56.06   199.16   760.60  
後側主点位置  -0.54   -25.74  -128.54  
ズームレンズ群データ
群  始面    焦点距離  レンズ構成長  前側主点位置  後側主点位置
1    1      61.00        53.98        34.82          3.79
2   12     -13.50        16.97         2.40         -9.03
3   19     -39.48         3.57        -0.06         -2.02
4   22      34.61         7.52         3.06         -1.78
5   26      49.21       117.94        55.44        -36.73
【実施例２】
【００５５】
図３は本発明のズームレンズの数値実施例２の広角端、望遠端におけるレンズ断面図である。図４は、数値実施例２の広角端、望遠端における収差図である。
【００５６】
図３において、Ｇ１は第１レンズ群としての正の屈折力のレンズ群である。第１レンズ群Ｇ１は物体側から像側に順に、固定の第１の部分レンズ群と、第２の部分レンズ群Ｇ１ａから構成される。Ｇ１の内部のレンズ群Ｇ１ａ（第２の部分レンズ群）を焦点調整のために繰り出すことにより物体距離０．６ｍまでの合焦が可能である。Ｇ２は第２レンズ群としてのズーミングに際して移動する負の屈折力のバリエータであり、光軸上を像面側へ移動させることにより、広角端から望遠端へのズーミングを行っている。Ｇ３は第３レンズ群としてのズーミングに際して移動する負の屈折力のバリエータであり、広角端から望遠端にかけて、物体側に凸を描くような軌跡で移動する。Ｇ４は第４レンズ群としての正の屈折力のコンペンセータであり、ズーミングに伴う像面変動を補正するためにズーミングに際して光軸上を非直線的に移動している。本発明の実施例では、像面変動を補正するレンズ群を第４レンズ群としているが、第３レンズ群を像面変動補正群とすることも可能である。ＳＰは絞り、Ｇ５は第５レンズ群としての結像作用を有する正の屈折力のリレー群である。Ｇ５内の空気間隔には、焦点距離変換コンバータ等が装着されても良い。Ｐは色分解プリズムや光学フィルター等であり、同図ではガラスブロックとして示している。Ｉは撮像面である。
【００５７】
本実施例の各条件式対応値を表１に示す。本数値実施例はいずれの条件式も満足しており、良好な光学性能を達成しつつ、広角端焦点距離８．０ｍｍ、ズーム比１７．０倍の広角、高倍率でありながら小型軽量化を達成している。
【００５８】
（数値実施例２）
単位 mm
面番号      r         d        nd        vd       θgF     有効径   焦点距離
1     -192.83740   2.20000  1.800000   29.84    0.6017     76.089    -72.184
2       83.79132   1.64531  1.000000                       73.033           
3       89.86921  15.06578  1.496999   81.54    0.5374     73.562    114.343
4     -147.11913   8.10324  1.000000                       73.558           
5     -775.57772   5.20036  1.433870   95.10    0.5373     72.531    499.411
6     -170.04046   0.15000  1.000000                       72.258           
7      103.29239  10.88096  1.000000   74.70    0.5392     69.001    122.254
8     -174.18080   0.15000  1.000000                       68.335           
9       51.30868   5.88840  1.000000   45.50    0.5720     58.425    130.653
10       96.85837    (可変)  1.000000                       57.492           
11       58.71183   0.90000  1.882997   40.76    0.5667     23.857    -18.633
12       12.81666   5.42537  1.000000                       18.993           
13      -42.61384   6.32762  1.808095   22.76    0.6307     18.898     18.433
14      -11.86413   0.70000  1.882997   40.76    0.5667     18.577    -11.805
15       92.65428   0.20000  1.000000                       18.564           
16       29.37501   2.85063  1.666800   33.05    0.5957     18.787     54.294
17      145.23232    (可変)  1.000000                       18.522           
18      -26.49302   0.70000  1.756998   47.82    0.5566     18.458    -21.883
19       45.30898   2.74723  1.846490   23.90    0.6217     20.047     48.421
20     -465.30249    (可変)  1.000000                       20.662           
21     -186.08181   3.97301  1.638539   55.38    0.5485     24.974     53.632
22      -29.27056   0.15000  1.000000                       25.680           
23       89.15466   3.70116  1.516330   64.14    0.5352     26.528     77.057
24      -71.31119    (可変)  1.000000                       26.575           
25        0.00000   1.30000  1.000000                       25.691           
26       98.11268   5.97787  1.517417   52.43    0.5564     25.375     41.557
27      -27.12071   0.90000  1.834807   42.71    0.5642     24.982    -33.436
28     -815.51185  32.40000  1.000000                       25.094           
29       72.71860   5.44338  1.496999   81.54    0.5374     26.037     59.478
30      -48.80707   1.22177  1.000000                       25.779           
31      273.82070   1.40000  1.834030   37.20    0.5775     24.980    -27.112
32       20.96106   5.45798  1.487490   70.23    0.5300     24.164     53.301
33       97.78424   0.71894  1.000000                       24.459           
34       73.06073   6.98697  1.501270   56.50    0.5536     24.774     34.866
35      -22.36067   1.40000  1.834807   42.71    0.5642     24.960    -37.963
36      -77.09238   0.24720  1.000000                       26.209           
37       67.90108   5.79123  1.501270   56.50    0.5536     26.951     46.832
38      -35.08095   4.00000  1.000000                       27.026           
39        0.00000  33.00000  1.608590   46.44    0.5664     40.000           
40        0.00000  13.20000  1.516330   64.14    0.5352     40.000           
41        0.00000   0.00000  1.000000                       40.000           
各種データ
ズーム比     17.00 
広角     中間     望遠
焦点距離       8.00    33.07   136.00  
Fナンバー      1.90     1.92     2.50  
画角          34.51     9.44     2.32  
像高           5.50     5.50     5.50  
レンズ全長   264.61   264.61   264.61  
BF             7.45     7.45     7.45  
d10            0.79    32.85    46.98  
d17           49.20    10.48    11.17  
d20            6.08    11.17     1.68  
d24            4.69     6.27     0.94  
d41            7.45     7.45     7.45  
入射瞳位置    45.15   160.24   571.65  
射出瞳位置   349.49   349.49   349.49  
前側主点位置  53.34   196.51   761.72  
後側主点位置  -0.55   -25.62  -128.55  
ズームレンズ群データ
群  始面    焦点距離  レンズ構成長  前側主点位置  後側主点位置
1    1      61.00        49.28        32.03          3.05
2   11     -13.50        16.40         1.69         -9.72
3   18     -40.54         3.45        -0.17         -2.06
4   21      32.01         7.82         3.29         -1.73
5   25      47.60       119.45        54.46        -28.42
【実施例３】
【００５９】
図５は本発明のズームレンズの数値実施例３の広角端、望遠端におけるレンズ断面図である。図６は、数値実施例３の広角端、望遠端における収差図である。
【００６０】
図５において、Ｇ１は第１レンズ群としての正の屈折力のレンズ群である。第１レンズ群Ｇ１は物体側から像側に順に、固定の第１の部分レンズ群と、第２の部分レンズ群Ｇ１ａから構成される。Ｇ１の内部のレンズ群Ｇ１ａ（第２の部分レンズ群）を焦点調整のために繰り出すことにより物体距離０．８５ｍまでの合焦が可能である。Ｇ２は第２レンズ群としてのズーミング用の負の屈折力のバリエータであり、光軸上を像面側へ移動させることにより、広角端から望遠端へのズーミングを行っている。Ｇ３は第３レンズ群としての負の屈折力のコンペンセータであり、ズーミングに伴う像面変動を補正するためにズーミングに際して光軸上を非直線的に移動している。ＳＰは絞り、Ｇ４は第４レンズ群としての結像作用を有する正の屈折力のリレー群である。Ｇ４内の空気間隔には、焦点距離変換コンバータ等が装着されても良い。Ｐは色分解プリズムや光学フィルター等であり、同図ではガラスブロックとして示している。Ｉは撮像面である。
【００６１】
本実施例の各条件式対応値を表１に示す。本数値実施例はいずれの条件式も満足しており、良好な光学性能を達成しつつ、広角端焦点距離８．０ｍｍ、ズーム比２２．０倍の広角、高倍率でありながら小型軽量化を達成している。
【００６２】
（数値実施例３）
単位 mm
面番号      r         d        nd        vd       θgF     有効径   焦点距離
1     -167.15959   2.30000  1.800999   34.97    0.5863     84.405    -87.168
2      122.05012   1.59927  1.000000                       82.054           
3      137.65465  13.58263  1.595220   67.74    0.5442     81.000    122.144
4     -149.50787   0.20000  1.000000                       81.000           
5    -1145.55537   2.50000  1.720467   34.70    0.5834     79.811   -162.840
6      131.82298   0.36487  1.000000                       77.850           
7      140.33150   9.02766  1.487490   70.23    0.5300     77.848    209.425
8     -371.36840   0.15000  1.000000                       77.766           
9    -2857.69605   4.27891  1.487490   70.23    0.5300     77.406    498.306
10     -224.69931   6.38769  1.000000                       77.267           
11      104.69643  10.63467  1.000000   68.00    0.5450     73.559    119.058
12     -268.82484   0.15000  1.000000                       72.869           
13       58.07817   5.80977  1.000000   45.50    0.5720     65.960    169.154
14       98.18774    (可変)  1.000000                       65.003           
15       59.22267   0.90000  1.882997   40.76    0.5667     26.302    -20.713
16       13.93577   6.58354  1.000000                       20.923           
17      -65.51230   6.78315  1.808095   22.76    0.6307     20.229     18.641
18      -12.92474   0.70000  1.882997   40.76    0.5667     19.631    -12.291
19       72.04865   0.20000  1.000000                       19.129           
20       25.47596   2.51814  1.666800   33.05    0.5957     19.237     72.448
21       51.35444    (可変)  1.000000                       18.820           
22      -24.82737   0.70000  1.756998   47.82    0.5566     18.662    -20.020
23       39.88332   2.78385  1.846490   23.90    0.6217     20.513     44.480
24     -788.62441    (可変)  1.000000                       21.096           
25        0.00000   1.30000  1.000000                       26.270           
26     -318.66319   4.23729  1.638539   55.38    0.5485     27.081     53.682
27      -31.23050   0.15000  1.000000                       27.726           
28      542.40774   2.54649  1.516330   64.14    0.5352     28.486    167.175
29     -102.94259   0.15000  1.000000                       28.651           
30       34.16041   8.02896  1.517417   52.43    0.5564     28.822     35.967
31      -37.97240   0.90000  1.834807   42.71    0.5642     28.217    -35.711
32      143.93248  32.40000  1.000000                       27.834           
33       63.63709   5.20229  1.496999   81.54    0.5374     27.781     53.421
34      -44.54085   1.49985  1.000000                       27.560           
35     -177.11812   1.40000  1.834030   37.20    0.5775     25.646    -25.053
36       23.94767   5.54244  1.487490   70.23    0.5300     24.982     54.584
37      214.69368   0.19232  1.000000                       25.316           
38       40.03669   7.72605  1.501270   56.50    0.5536     25.839     32.460
39      -25.82221   1.40000  1.834807   42.71    0.5642     25.720    -41.801
40     -100.19022   2.97511  1.000000                       26.356           
41       42.10518   4.65877  1.501270   56.50    0.5536     26.802     62.715
42     -121.49196   4.00000  1.000000                       26.498           
43        0.00000  33.00000  1.608590   46.44    0.5664     40.000           
44        0.00000  13.20000  1.516330   64.14    0.5352     40.000           
45        0.00000   0.00000  1.000000                       40.000           
各種データ
ズーム比     22.00 
広角     中間     望遠
焦点距離       8.00    37.52   176.00  
Fナンバー      1.90     1.89     2.80  
画角          34.51     8.34     1.79  
像高           5.50     5.50     5.50  
レンズ全長   276.45   276.45   276.45  
BF             7.47     7.47     7.47  
d14            1.04    38.26    52.83  
d21           52.89    10.90     6.15  
d24            6.39    11.15     1.33  
d45            7.47     7.47     7.47  
入射瞳位置    50.28   194.54   601.08  
射出瞳位置   365.58   365.58   365.58  
前側主点位置  58.46   235.99   863.58  
後側主点位置  -0.53   -30.05  -168.53  
ズームレンズ群データ
群  始面    焦点距離  レンズ構成長  前側主点位置  後側主点位置
1    1      68.00        56.99        34.91          2.65
2   15     -13.80        17.68         2.65         -9.27
3   22     -36.92         3.48        -0.11         -2.02
4   25      59.38       130.51        67.34       -136.72
【実施例４】
【００６３】
図７は本発明のズームレンズの数値実施例４の広角端、望遠端におけるレンズ断面図である。図８は、数値実施例４の広角端、望遠端における収差図である。
【００６４】
図７において、Ｇ１は第１レンズ群としての正の屈折力のレンズ群である。第１レンズ群Ｇ１は物体側から像側に順に、固定の第１の部分レンズ群と、第２の部分レンズ群Ｇ１ａから構成される。Ｇ１の内部のレンズ群Ｇ１ａ（第２の部分レンズ群）を合焦のために繰り出すことにより物体距離０．８５ｍまでの合焦が可能である。Ｇ２は第２レンズ群としてのズーミング用の負の屈折力のバリエータであり、光軸上を像面側へ移動させることにより、広角端から望遠端へのズーミングを行っている。Ｇ３は第３レンズ群としてのズーミング用の負の屈折力のバリエータであり、広角端から望遠端へ光軸上を像面側へ移動させる。Ｇ４は第４レンズ群としての負の屈折力のコンペンセータであり、ズーミングに伴う像面変動を補正するためにズーミングに際し光軸上を非直線的に移動している。本発明の実施例では、像面変動を補正するレンズ群を第４レンズ群としているが、第３レンズ群を像面変動補正群とすることも可能である。ＳＰは絞り、Ｇ５は第５レンズ群としての結像作用を有する正の屈折力のリレー群である。Ｇ５内の空気間隔には、焦点距離変換コンバータ等が装着されても良い。Ｐは色分解プリズムや光学フィルター等であり、同図ではガラスブロックとして示している。Ｉは撮像面である。
【００６５】
本実施例の各条件式対応値を表１に示す。本数値実施例はいずれの条件式も満足しており、良好な光学性能を達成しつつ、広角端焦点距離８．０ｍｍ、ズーム比22．０倍の広角、高倍率でありながら小型軽量化を達成している。
【００６６】
（数値実施例４）
単位 mm
面番号      r         d        nd        vd       θgF     有効径   焦点距離
1     -246.95878   2.30000  1.720467   34.70    0.5834     85.084   -202.766
2      365.11209   2.51416  1.000000                       82.508           
3      822.84941   2.30000  1.800999   34.97    0.5863     82.104   -109.413
4       79.58878  17.30219  1.496999   81.54    0.5374     79.557    111.569
5     -171.24940   0.40000  1.000000                       79.552           
6      122.38451   4.44600  1.496999   81.54    0.5374     77.414    498.667
7      238.17588   6.83742  1.000000                       77.017           
8      272.19851   4.44609  1.496999   81.54    0.5374     76.900    496.960
9    -2738.63906   0.15000  1.000000                       76.480           
10      117.94768   9.77635  1.618000   63.33    0.5441     73.821    135.512
11     -283.31209   0.15000  1.000000                       73.087           
12       61.93147   5.56759  1.000000   54.50    0.5550     65.670    173.051
13      111.18673    (可変)  1.000000                       64.860           
14       68.92573   0.90000  1.882997   40.76    0.5667     26.778    -20.615
15       14.37758    (可変)  1.000000                       21.345           
16      -82.26801   6.63806  1.808095   22.76    0.6307     20.717     19.995
17      -14.11570   0.70000  1.882997   40.76    0.5667     20.076    -12.243
18       48.44559   0.20000  1.000000                       19.430           
19       25.98514   2.96554  1.666800   33.05    0.5957     19.607     55.939
20       80.42132    (可変)  1.000000                       19.232           
21      -27.64338   0.70000  1.756998   47.82    0.5566     18.085    -21.092
22       38.66434   2.78261  1.846490   23.90    0.6217     19.567     46.480
23     1390.62825    (可変)  1.000000                       20.154           
24        0.00000   1.30000  1.000000                       25.498           
25     -212.38191   4.21898  1.638539   55.38    0.5485     26.162     54.482
26      -30.23579   0.15000  1.000000                       26.879           
27     -197.58076   2.29520  1.516330   64.14    0.5352     27.400    451.130
28     -107.50928   0.15000  1.000000                       27.717           
29       50.21298   7.62533  1.517417   52.43    0.5564     28.090     36.712
30      -29.17906   0.90000  1.834807   42.71    0.5642     27.844    -42.615
31     -160.52965  32.40000  1.000000                       28.190           
32       74.67801   4.99521  1.496999   81.54    0.5374     28.865     60.663
33      -49.68199   5.21107  1.000000                       28.693           
34     1128.69269   1.40000  1.834030   37.20    0.5775     25.320    -26.254
35       21.60174   5.63348  1.487490   70.23    0.5300     24.493     51.379
36      140.61898   0.17137  1.000000                       24.778           
37       45.52921   7.85568  1.501270   56.50    0.5536     25.152     30.496
38      -21.82173   1.40000  1.834807   42.71    0.5642     25.113    -31.169
39     -135.30754   0.14971  1.000000                       26.217           
40       67.85055   5.68360  1.501270   56.50    0.5536     26.779     47.436
41      -35.81190   4.00000  1.000000                       26.845           
42        0.00000  33.00000  1.608590   46.44    0.5664     40.000           
43        0.00000  13.20000  1.516330   64.14    0.5352     40.000           
44        0.00000   0.00000  1.000000                       40.000           
各種データ
ズーム比     22.00 
広角     中間     望遠
焦点距離       8.00    37.46   176.00  
Fナンバー      1.90     1.90     2.80  
画角          34.51     8.35     1.79  
像高           5.50     5.50     5.50  
レンズ全長   277.01   277.01   277.01  
BF             7.48     7.48     7.48  
d13            0.80    37.72    51.73  
d15            6.42     6.19     9.26  
d20           52.24    10.72     4.17  
d23            7.25    12.08     1.55  
d44            7.48     7.48     7.48  
入射瞳位置    51.80   199.40   620.94  
射出瞳位置   345.25   345.25   345.25  
前側主点位置  59.99   241.01   888.65  
後側主点位置  -0.52   -29.98  -168.52  
ズームレンズ群データ
群  始面    焦点距離  レンズ構成長  前側主点位置  後側主点位置
1    1      68.00        56.19        35.32          1.76
2   14     -20.73         0.90         0.61          0.13
3   16     -61.72        10.50         2.08         -3.81
4   21     -38.94         3.48         0.01         -1.89
5   24      57.66       131.74        65.68       -126.94
【００６７】
以上、本発明の好ましい実施例について説明したが、本発明はこれらの実施例に限定されないことは云うまでもなく、その要旨の範囲内で種々の変形及び変更が可能である。
【００６８】
【表１】
2015152798.tif 000003
【符号の説明】
【００６９】
Ｇ１    第１レンズ群
Ｇ１ａ  第１ａレンズ群（第２の部分レンズ群）
Ｇ２    第２レンズ群
Ｇ３    第３レンズ群
Ｇ４    第４レンズ群
Ｇ５    第５レンズ群
【図１】
2015152798.tif 000004
【図２】
2015152798.tif 000005
【図３】
2015152798.tif 000006
【図４】
2015152798.tif 000007
【図５】
2015152798.tif 000008
【図６】
2015152798.tif 000009
【図７】
2015152798.tif 000010
【図８】
2015152798.tif 000011
【図９】
2015152798.tif 000012
【図１０】
2015152798.tif 000013